(57)【要約】【課題】光発散部から周辺に損失される光量を最大限減少させると共に、表示部に反射される光量を増加させて表示部の輝度をさらに高めることができるキーパッド用光導波路シートを提供する。【解決手段】本発明のキーパッド用光導波路シート２０は、キートップ部１１の表示部１１ａの直下部分に位置する光発散部２１と、光源１３の上部に位置する光導入部２２とからなり、光源１３から照射された光が光導入部２２を通じて光発散部２１に誘導されて表示部１１ａの方向に発散させる。また、光発散部２１の底面には表示部１１ａの方向に光を反射させる光反射溝２４を形成し、光反射溝２４は光導入部２２に誘導される光の主経路方向に対向する直線溝部２４ａと、直線溝部２４ａの両端に光の主経路方向に延びて突設されて直線溝部２４ａの前方に集光誘導空間２４ｃを形成する集光誘導溝部２４ｂとからなる。【選択図】図４
2013197030.tif 000002
【特許請求の範囲】
【請求項１】
キートップ部の表示部の直下部分に位置する光発散部と、光源の上部に位置する光導入部とからなり、光源から照射された光を光導入部を通じて光発散部に誘導して表示部の方向に発散させるキーパッド用光導波路シートにおいて、
前記光発散部は光導入部を通じて誘導された光を表示部の方向に反射させるように、その底面に形成された光反射溝を含み、前記光反射溝は光導入部に誘導される光の主経路方向に対向する直線溝部と、前記直線溝部の両端に光の主経路方向に延びて突設されて前記直線溝部の前方に集光誘導空間を形成する集光誘導溝部とからなったことを特徴とするキーパッド用光導波路シート。
【請求項２】
前記光反射溝は、表示部の紋様に沿って複数配置され、表示部の紋様に対応する紋様のパターンになるように形成したことを特徴とする請求項１に記載のキーパッド用光導波路シート。
【請求項３】
前記光反射溝の直線溝部と集光誘導溝部は、"]"または"Ι"形状に形成されたことを特徴とする請求項１または２に記載のキーパッド用光導波路シート。
【発明の詳細な説明】
【技術分野】
【０００１】
本発明はキーパッド用光導波路シートに関するもので、より詳細には携帯電話などの携帯端末機や電子機器のキートップ部に設けられた文字や図形を明るく照らすために、内部の光源から照射される光をキートップ部の文字や図形に誘導するキーパッド用光導波路シートに関するものである。
【背景技術】
【０００２】
一般的に携帯電話などの携帯端末機や電子機器のような装置はスイッチ操作のためのキーボタンや機能表示部（以下、表示部と略称する）がキートップ部に備える。このキートップ部の下部にはスイッチ装置が設けられるキーパッドと印刷回路基板が順に積層されている。また、キートップ部の表示部は数字、文字、図形などの多様な紋様にデザインされており、この表示部を明るく照らすために印刷回路基板にはＬＥＤなどの光源が設けられている。そして、キートップ部とキーパッドとの間には光源から照射された光をキートップ部の表示部に誘導する光導波路シートが設けられている。
【０００３】
図１は一般的な携帯電話を示す正面図である。図に示すように、携帯電話１の正面にはディスプレー部２とキートップ部３が備えられており、キートップ部３にはファンクションキーまたは機能表示のための表示部３ａが備えられている。
【０００４】
図２は図１のＡ−Ａ線断面図であって、従来のキーパッド用光導波路シート４の構成及び設置構造を示すものである。すなわち、光導波路シート４はキートップ部３とキーパッド５との間に設けられており、光発散部４ａと光導入部４ｂとからなっている。ここで、光導波路シート４の光発散部４ａはキートップ部３の表示部３ａ直下部分に位置し、光導入部４ｂは光源６の上部に位置している。したがって、光源６から照射された光は、光導波路シート４の光導入部４ｂを通じて光発散部４ａに誘導されてキートップ部３の表示部３ａ方向に発散することによって、表示部３ａを明るく照らすようになる。
【０００５】
また、光導波路シート４の光発散部４ａの下面には反射テープ７が付着され、より多くの光量を表示部３ａ方向に発散するようになっている。さらに、光導波路シート４の光導入部４ｂの上面には両面テープ９により反射板８が付着され、やはりより多くの光量を光発散部４ａに誘導できるようになっている。
【０００６】
しかし、このような従来の光導波路シート４は光導入部４ｂから誘導された光が光発散部４ａから発散し、また反射テープ７によってより多くの光が表示部２の方向に発散しるように構成されているが、このような構成だけでは光発散部４ａから表示部２の方向に光が発散できず、光発散部４ａの周辺に損失される光量が多いため、表示部２で所要の輝度を得ることができない。
【０００７】
これを解決するために光発散部４ａの底面にドット形態の小さな複数の光反射溝を左右上下に配置したドットパターンを形成して、光発散部４ａに誘導された光が表示部２の方向に反射されるようにしている。しかし、このようなドットパターンもやはりそれぞれのドット形態の光反射溝と溝との間に光が抜け出て損失されるため、反射効率が低下し、光量が不十分である問題がある。
【発明の概要】
【発明が解決しようとする課題】
【０００８】
したがって、前述したような従来の問題点を解決するためになされた本発明は、光発散部から周辺に損失される光量を最大限減少させると共に、表示部に反射される光量を増加させて表示部の輝度をさらに高めることができるキーパッド用光導波路シートを提供することにその目的がある。
【課題を解決するための手段】
【０００９】
前述した目的を達成するための本発明に係るキーパッド用光導波路シートは、キートップ部の表示部の直下部分に位置する光発散部と、光源の上部に位置する光導入部とからなり、光源から照射された光を光導入部を通じて光発散部に誘導して表示部の方向に発散させるキーパッド用光導波路シートにおいて、前記光発散部は光導入部を通じて誘導された光を表示部の方向に反射させるように、その底面に形成された光反射溝を含み、前記光反射溝は光導入部に誘導される光の主経路方向に対向する直線溝部と、前記直線溝部の両端に光の主経路方向に延びて突設されて前記直線溝部の前方に集光誘導空間を形成する集光誘導溝部とからなったことに特徴がある。
【００１０】
また、本発明のキーパッド用光導波路シートにおいて、前記光反射溝は、表示部の紋様に沿って複数配置され、表示部の紋様に対応する紋様のパターンになるように形成したことに特徴がある。
【００１１】
さらに、本発明のキーパッド用光導波路シートにおいて、前記光反射溝の直線溝部と集光誘導溝部は、"]"または"Ι"形状に形成されたことに特徴がある。
【発明の効果】
【００１２】
このような特徴的構成を有する本発明の光導波路シートによれば、光導入部から光発散部に誘導された光が光反射溝の直線溝部と集光誘導溝部により形成された集光誘導空間に集光されるので、光発散部から損失される光量を最大限減少させることができ、光反射溝の直線溝部と集光誘導溝部を通じて集光誘導空間に誘導された光を表示部に反射させることによって、光発散部における光損失を最小化しながら最大限多くの光量を表示部に効率的に誘導して表示部の輝度をさらに高めることができる。
【００１３】
また、本発明によれば、表示部の紋様に沿って複数の光反射溝が配置されているので、紋様に対応する紋様のパターンに表示部が形成されることによって、表示部の紋様に光を集中して反射させることができ、より一層効果的に表示部を明るく照らすことができる。
【図面の簡単な説明】
【００１４】
【図１】一般的な携帯電話を示す正面図である。
【図２】図１のＡ−Ａ線断面図である。
【図３】本発明の一実施形態に係るキーパッド用光導波路シートの設置状態を示す断面図である。
【図４】本発明の一実施形態に係るキーパッド用光導波路シートを示す平面図である。
【図５】本発明のキーパッド用光導波路シートにおいて光反射溝の形状を示す拡大図である。
【図６】図６の（ａ）及び（ｂ）は光反射溝の他の形状を示す拡大図である。
【発明を実施するための形態】
【００１５】
以下、本発明のキーパッド用光導波路シートを添付図面に基づいて詳細に説明する。図３は本発明の好ましい一実施形態を示すキーパッド用光導波路シートの構成及び設置状態を示す図面である。図に示すように本発明の光導波路シート２０は、携帯電話などの携帯端末機や電子機器の各種機能及びスイッチ操作のために備えるキートップ部１１とキーパッド１２との間に設けられる。
【００１６】
光導波路シート２０は、キートップ部１１の表示部１１ａの直下部分に位置する光発散部２１と、印刷回路基板１４に設けられた光源１３の上部に位置する光導入部２２とからなる。したがって、光源１３から照射された光が光導入部２２を通じて光発散部２１に誘導されると、導入された光を表示部１１ａの方向に発散させることによって表示部１１ａを明るく照らす機能を行う。
【００１７】
また、光導波路シート２０の光発散部２１の下面には反射テープ２５が付着されていて、より多くの光量を表示部１１ａの方向に発散するようになっている。さらに、光導波路シート２０の光導入部２２の上面には両面テープ２３ａにより反射板２３が付着されていて、やはりより多くの光量を光発散部２１に誘導できるようになっている。
【００１８】
そして、光導波路シート２０の光発散部２１の底面には、この光発散部２１に誘導された光を表示部１１ａの方向に反射させる光反射溝２４が形成されている。
【００１９】
この光反射溝２４は図４及び図５に示すように、表示部１１ａの紋様に沿って複数配置して、表示部１１ａの紋様に対応する紋様のパターンを形成することが好ましい。この時、光反射溝２４の形状は光導入部２２から誘導される光の主経路方向（矢印ａ方向）に対向する直線溝部２４ａと、この直線溝部２４ａの両端から光の主経路方向に延びて突設され、直線溝部２４ａの前方に集光誘導空間２４ｃを形成する集光誘導溝部２４ｂとからなる。
【００２０】
このような光反射溝２４の直線溝部２４ａと集光誘導溝部２４ｂは、図５に示すような"]"形状に形成することが好ましく、図６の（ａ）及び（ｂ）に示すように"Ι"形状またはダンベル（ｄｕｍｂｂｅｌｌ）形状に形成しても良い。
【００２１】
このような構成になった光導波路シート２０の作用を説明すると次の通りである。図３に示すように、光源１３から照射された光は光導入部２２に導入されて光発散部２１に誘導される。次に、光発散部２１に誘導された光はキートップ部１１に備えられた表示部１１ａに発散して、反射テープ２５によってより多くの光量を表示部１１ａに発散させるようになる。
【００２２】
この時、光発散部２１の底面に形成した光反射溝２４は、図３の拡大図に示すように、光を表示部１１ａの方向に反射させて表示部１１ａの輝度をさらに高める機能を行う。
【００２３】
すなわち、図４及び図５に示すように、本発明の光反射溝２４は光発散部２１において光の主経路方向（矢印ａ方向）に対向するように形成した光反射溝２４の直線溝部２４ａと、光の主経路方向（矢印ａ方向）に沿って形成した集光誘導溝部２４ｂにより直線溝部２４ａの前方に集光誘導空間２４ｃを提供する構成を有する。したがって、光導入部２２から光発散部２１に誘導される光を集光誘導空間２４ｃに集光させることができ、この集光された光を表示部１１ａの方向に反射させることができる。また、光発散部２１の縁端部から反射されて来た光も光反射溝２４の直線溝部２４ａと集光誘導溝部２４ｂにより表示部１１ａの方向に反射させることができる。
【００２４】
したがって、光反射溝２４の直線溝部２４ａと集光誘導溝部２４ｂが光発散部２１に誘導された光を集光するようになるので、光量の損失を最小化しながら表示部１１ａの方向により多くの光量を反射させて表示部１１ａの輝度を高めるようになる。
【００２５】
このような構成の光反射溝２４は図４に示すように、表示部１１ａの紋様に沿って複数配置して、表示部１１ａの紋様に対応する紋様のパターンを形成することによって、光を表示部１１ａの紋様に集中させて、より一層明るく照らすことができる。
【００２６】
また、光反射溝２４の直線溝部２４ａと集光誘導溝部２４ｂを図６の（ａ）及び（ｂ）に示すように、"Ι"形状またはダンベル形状に形成する場合、直線溝部２４ａの両側前方に集光誘導空間２４ｃを形成できる。したがって、光発散部２１の縁端部から反射されて光の主経路反対方向に来る光も共に集光して反射させることができるので、光反射効率をより一層向上できる。
【産業上の利用可能性】
【００２７】
以上のように、本発明の光導波路シートによれば、光導入部から光発散部に誘導された光が光反射溝の直線溝部と集光誘導溝部により形成された集光誘導空間に集光されるので、光発散部から損失される光量を最大限減少させることができ、光反射溝の直線溝部と集光誘導溝部を通じて集光誘導空間に誘導された光を表示部に反射させることによって、光発散部における光損失を最小化しながら最大限多くの光量を表示部に効率的に誘導して表示部の輝度をさらに高めることができる。
【００２８】
また、本発明によれば、表示部の紋様に沿って複数の光反射溝が配置されているので、紋様に対応する紋様のパターンに表示部が形成されることによって、表示部の紋様に光を集中して反射させることができ、より一層効果的に表示部を明るく照らすことができる。従って、本発明の産業利用性はきわめて高いものといえる。
【００２９】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【符号の説明】
【００３０】
１１  キートップ部
１１ａ  表示部
１３  光源
２０  光導波路シート
２１  光発散部
２２  光導入部
２４  光反射溝
２４ａ  直線溝部
２４ｂ  集光誘導溝部
２４ｃ  集光誘導空間
【図１】
2013197030.tif 000003
【図２】
2013197030.tif 000004
【図３】
2013197030.tif 000005
【図４】
2013197030.tif 000006
【図５】
2013197030.tif 000007
【図６】
2013197030.tif 000008